(57)【要約】【課題】単純な構造で、荷物の載置、取り出しが容易であり、リユースに適し、荷物の運搬、保管などの効率が高いパレットを提供する。【解決手段】パレット本体２の四隅には、パレット１を積み重ねるための支柱３ａ、３ｂ、３ｃ、３ｄが備えられ、支柱間には、ステー４ａ、ステー４ｂが設けられている。また、支柱３ａ、３ｂ、３ｃ、３ｄは、下端が第１の折曲部５ａ、５ｂ、５ｃ、５ｄによって、パレット本体２から上方へ起立する起立位置とパレット本体２に沿う収納位置との間で揺動自在に設けられている。そして、パレット本体２の上面には、荷物載置部６が設けられ、荷物載置部６は、矢印７の方向に、大半の部分がパレット本体外側までスライド可能となっている。【選択図】図１
2007106447.tif 000002
【特許請求の範囲】
【請求項１】
パレット本体の四隅に支柱が設けられ、
前記パレット本体の対向する二辺の上方に前記支柱をつなぐステーが設けられ、
前記支柱は前記パレット本体から上方へ起立する起立位置と前記パレット本体に沿う収納位置との間で揺動自在に設けられたパレットにおいて、
前記パレット本体の上面には、大半の部分がパレット本体外側までスライド可能な荷物載置部が設けられていることを特徴とするパレット。
【請求項２】
パレット本体の四隅に支柱が設けられ、
前記パレット本体の対向する二辺の上方に前記支柱をつなぐステーが設けられ、
前記支柱は前記パレット本体から上方へ起立する起立位置と前記パレット本体に沿う収納位置との間で揺動自在に設けられたパレットにおいて、
前記支柱は略中央より折り畳みが可能であることを特徴とするパレット。
【請求項３】
前記パレット本体の上面には、大半の部分がパレット本体外側までスライド可能な荷物載置部が設けられていることを特徴とする請求項２に記載のパレット。
【請求項４】
前記荷物載置部のスライド方向は、前記ステーと平行な方向であることを特徴とする請求項１又は３に記載のパレット。
【発明の詳細な説明】
【技術分野】
【０００１】
本発明は、荷物を載置して運搬、保管などを行うパレットに関する。
【背景技術】
【０００２】
例えば、工場などで各種の材料、部品、製品、半製品などの荷物を運搬したり保管したりする場合には、パレットを使用することが多い。このパレットに関する発明としては、特許文献１、特許文献２、特許文献３に記載のものが従来より知られている。
【０００３】
特許文献１に記載の発明は、一端がパレット本体の側面に回動可能に取り付けられ、かつ、他端側が前記側面内を含む垂直面内で上方に回動してパレット本体の側部に起立可能とされた可倒式ストッパを備えたパレットに関するものである。
【０００４】
特許文献１に記載の発明によると、パレット本体に荷物が載置されているときには、ストッパをパレット本体の側部に起立させておくことで荷崩れを防止でき、パレット本体に荷物が載置されていないときには、ストッパを倒してパレット本体の側面に沿わせておくことで、スペースをとらずに何段にも積み重ねることができ、リユースに適している。
【０００５】
特許文献２に記載の発明は、パレット本体の四隅に断面Ｌ字型の保護部材を設けている。この保護部材は、基部を構成するラバーサポートと、このラバーサポートに固着させたコーナーサポートと、このコーナーサポートの先端部にスライド構造を介して長手方向に移動自在に取り付けたスライドコーナーサポートとから構成され、ラバーサポートは連結ピンによって、パレット本体の側面に揺動自在に取り付けられている。
【０００６】
特許文献２に記載の発明によると、パレット本体に荷物が載置されているときには、保護部材を起立させておくことで荷崩れを防止でき、パレット本体に荷物が載置されていないときには、保護部材を倒してパレット本体の側面に沿わせておくことで、スペースをとらずに何段にも積み重ねることができ、リユースに適している。さらに、保護部材の基部を構成するラバーサポートを変形させることによって、この保護部材の起立位置を水平方向にずらすことができ、また、スライドコーナーサポートによって荷物の高さに合わせて保護部材の全長を調節することができるので、荷物の角部分を保護するに当たって荷物の大きさの制約が小さい。
【０００７】
特許文献３に記載の発明は、パレット本体の周囲に側柵、前面扉、及び背面柵が一体的に、折り畳み可能に設けられ、パレット本体の下面には係合部が設けられたボックスパレットに関するものである。
【０００８】
特許文献３に記載の発明によると、パレット本体に荷物が載置されているときには、側柵、前面扉、及び背面柵を起立させておくことで荷崩れを防止でき、パレット本体に荷物が載置されていないときには、側柵、前面扉、及び背面柵を折り畳み、パレット本体の下面の係合部を利用することで、スペースをとらずに何段にも積み重ねることができ、リユースに適している。また、パレット本体に荷物が載置されているときにも、パレット本体の下面の係合部を利用することで、何段にも積み重ねることができ、荷物の運搬、保管などの効率が高い。
【特許文献１】実開平６−４７１３０号公報
【特許文献２】特開平１０−９５４５３号公報
【特許文献３】特開２００２−６８１８７号公報
【発明の開示】
【発明が解決しようとする課題】
【０００９】
特許文献１、特許文献２、特許文献３に記載のパレットはいずれも、ストッパや保護部材、柵などが邪魔になることによって、パレット本体への荷物の載置が困難になることはない。また、パレット本体に荷物が載置されていないときには、スペースをとらずに何段にも積み重ねることができ、リユースに適している。しかしながら、特許文献１、特許文献２に記載のパレットは、パレット本体に荷物が載置されているときには積み重ねることができず、荷物の運搬、保管などの効率が低い。特許文献３に記載のボックスパレットは、パレット本体に荷物が載置されているときにも、何段にも積み重ねることができ、荷物の運搬、保管などの効率が高いが、非常に構造が複雑になる。
【００１０】
以上の問題点を鑑み、本発明においては、単純な構造で、荷物の載置、取り出しが容易であり、荷物が載置されていないときには、スペースをとらずに何段にも積み重ねることができ、かつ、荷物が載置されているときにも、何段にも積み重ねることができる、リユースに適し、荷物の運搬、保管などの効率が高いパレットを提供することを目的とする。
【課題を解決するための手段】
【００１１】
本発明においては、パレットは、パレット本体の四隅に支柱が設けられ、前記パレット本体の対向する二辺の上方に前記支柱をつなぐステーが設けられ、前記支柱は前記パレット本体から上方へ起立する起立位置と前記パレット本体に沿う収納位置との間で揺動自在に設けられたパレットにおいて、前記パレット本体の上面には、大半の部分がパレット本体外側までスライド可能な荷物載置部が設けられていることを特徴とする。
【００１２】
これによると、支柱を立てた状態において、荷物載置部をスライドさせることによって、荷物の載置、載置された荷物の取り出しを、支柱やステーが邪魔にならずに行うことができる。また、上記の作用を有しながら、パレット本体に荷物を載置していないときには、支柱を収納しておくことで、スペースをとらずに何段にも積み重ねることができる。そして、支柱にステーが設けられているので強度が高く、パレット本体に荷物を載置しているときにも、パレットを何段にも積み重ねることができる。
【００１３】
本発明においては、パレットは、パレット本体の四隅に支柱が設けられ、前記パレット本体の対向する二辺の上方に前記支柱をつなぐステーが設けられ、前記支柱は前記パレット本体から上方へ起立する起立位置と前記パレット本体に沿う収納位置との間で揺動自在に設けられたパレットにおいて、前記支柱は略中央より折り畳みが可能であることを特徴とする。
【００１４】
これによると、支柱を略中央より折り畳んで収納した状態において、荷物の載置、載置された荷物の取り出しを、支柱やステーが邪魔にならずに行うことができる。そして、パレット本体に荷物を載置していないときには、支柱を略中央より折り畳んで収納しておくことで、スペースをとらずに何段にも積み重ねることができる。また、上記の作用を有しながら、支柱にステーが設けられているので強度が高く、パレット本体に荷物を載置しているときに、パレットを何段にも積み重ねることができる。
【００１５】
本発明においては、上記構成のパレットにおいて、前記パレット本体の上面には、大半の部分がパレット本体外側までスライド可能な荷物載置部が設けられていることを特徴とする。
【００１６】
これによると、支柱が略中央より折り畳み可能なパレットにおいて、支柱を立てた状態においても、荷物載置部をスライドさせることによって、荷物の載置、載置された荷物の取り出しを、支柱やステーが邪魔にならずに行うことができる。
【００１７】
本発明においては、上記構成のパレットにおいて、前記荷物載置部のスライド方向は、前記ステーと平行な方向であることを特徴とする。
【００１８】
これによると、パレット本体に載置する荷物の高さが、ステーが設けられている高さよりも高い場合でも、ステーが邪魔にならずに荷物を載置することができる。
【発明の効果】
【００１９】
本発明によると、支柱を立てた状態において、荷物載置部をスライドさせることによって、荷物の載置、載置された荷物の取り出しを、支柱やステーが邪魔にならずに行うことができるので、荷物の載置、載置された荷物の取り出しが容易となる。また、上記の効果を有しながら、パレット本体に荷物を載置していないときには、支柱を収納しておくことで、スペースをとらずに何段にも積み重ねることができ、リユースに適している。そして、パレット本体に荷物を載置しているときにも、パレットを何段にも積み重ねることができるので、荷物の運搬、保管などの効率が高い。
【００２０】
本発明によると、支柱を略中央より折り畳んで倒し、収納した状態で、荷物の載置、載置された荷物の取り出しを、支柱やステーが邪魔にならずに行うことができるので、荷物の載置、載置された荷物の取り出しが容易となる。そして、パレット本体に荷物を載置していないときには、支柱を略中央より折り畳んで倒し、収納しておくことで、スペースをとらずに何段にも積み重ねることができるので、リユースに適している。また、上記の効果を有しながら、パレット本体に荷物を載置しているときに、パレットを何段にも積み重ねることができるので、荷物の運搬、保管などの効率が高い。
【００２１】
本発明によると、支柱が略中央より折り畳み可能なパレットにおいて、支柱を立てた状態においても、荷物載置部をスライドさせることによって、荷物の載置、載置された荷物の取り出しを、支柱やステーが邪魔にならずに行うことができるので、荷物の載置、載置された荷物の取り出しが容易となる。
【００２２】
本発明によると、パレット本体に載置する荷物の高さが、ステーが設けられている高さよりも高い場合でも、ステーが邪魔にならずに荷物を載置することができるので、載置する荷物の大きさの自由度が増す。
【発明を実施するための最良の形態】
【００２３】
本発明の実施形態について、図面を用いて説明すれば以下の通りである。
【００２４】
図１は、本発明の第１の実施形態に係るパレット１の概略の構成を示した斜視図である。パレット１はパレット本体２を備え、パレット本体２の四隅には、パレット１を積み重ねるための支柱３ａ、３ｂ、３ｃ、３ｄを備えている。また、支柱３ａと、支柱３ｄとの間には、支柱３ａと、支柱３ｄの強度を高めるためのステー４ａが設けられ、支柱３ｂと、支柱３ｃとの間には、支柱３ｂと、支柱３ｃの強度を高めるためのステー４ｂが設けられている。
【００２５】
支柱３ａ、３ｂ、３ｃ、３ｄは、下端の第１の折曲部５ａ、５ｂ、５ｃ、５ｄによって、パレット本体２から上方へ起立する起立位置とパレット本体２に沿う収納位置との間で揺動自在に設けられている。パレット本体２の上面には、荷物載置部６が設けられ、荷物載置部６は、矢印７の方向に、大半の部分がパレット本体外側までスライド可能となっている。また、パレット本体２には凹部８ａ、８ｂが形成されている。凹部８ａ、８ｂは、フォークリフトのフォークなどを挿入するためのものである。なお、荷物載置部６のスライド構造の詳細については後述する。
【００２６】
上記構成のパレット１は、ステー４ａ、４ｂが備えられているので支柱３ａ、３ｂ、３ｃ、３ｄの強度が高く、荷物載置部６に荷物を載置した状態で何段にも積み重ねることができ、運搬、保管などの効率が高い。また、支柱３ａ、３ｂ、３ｃ、３ｄは、下端の第１の折曲部５ａ、５ｂ、５ｃ、５ｄによって、パレット本体２から上方へ起立する起立位置とパレット本体２に沿う収納位置との間で揺動自在に設けられているので、荷物載置部６に荷物を載置していないときには、支柱３ａ、３ｂ、３ｃ、３ｄを収納しておくことができ、スペースをとらずに何段にも積み重ねることができるので、リユースに適している。
【００２７】
図２は、本実施形態における、荷物載置部６を引き出した状態のパレット１の概略の構成を示す斜視図である。図２に示すように、荷物載置部６を引き出した状態で、荷物９を荷物載置部６に載置し、荷物９載置後に荷物載置部６を元の位置に戻すことで、支柱３ａ、３ｂ、３ｃ、３ｄやステー４ａ、４ｂが邪魔にならず、容易に荷物９をパレット本体２に載置することができる。
【００２８】
また、荷物９をパレット１から取り出す場合にも、荷物９が載置された荷物載置部６を引き出すことで、ステー４ａ、４ｂが邪魔にならず、容易に荷物９をパレット１から取り出すことができる。
【００２９】
図３は、本実施形態における、支柱３ｃ、３ｄの収納構造を示す側面図である。支柱３ｃ、３ｄは図３（ａ）に示す、収納された状態から、第１の折曲部５ｃ、５ｄによって、図３（ｂ）、（ｃ）に示すように起立させられる。このとき、ステー４ａ、４ｂによって支柱３ｃ、３ｄとつながっている支柱３ａ、３ｂも同時に、第１の折曲部５ａ、５ｂによって起立させられることとなる。
【００３０】
図４は、本実施形態における、パレット本体２の上面の詳細を示す平面図である。図４に示すように、パレット本体２の上面には、案内溝２０、２１、２２が形成されている。図５は、本実施形態における、荷物載置部６を表裏反転させた様子を示す説明図である。図５に示すように、荷物載置部６の裏側には、梁６０と、係合部材６１、６２が備えられている。
【００３１】
そして、梁６０が案内溝２０に、係合部材６１が案内溝２１に、係合部材６２が案内溝
２２にそれぞれ係合されることによって、荷物載置部６は、矢印７の方向に、大半の部分がパレット本体外側までスライド可能となる。また、梁６０が荷物載置部６の強度を高めるので、荷物載置部６を引き出した状態で荷物９を荷物載置部６に載置しても、荷物載置部６が曲がったり、折れたりすることがない。
【００３２】
以上に示す通り、本実施形態においては、荷物載置部６は、矢印７の方向に、大半の部分がパレット本体外側までスライド可能となっているので、荷物９の載置、載置された荷物９の取り出しを、支柱３ａ、３ｂ、３ｃ、３ｄやステー４ａ、４ｂが邪魔にならず、容易に行うことができる。また、上記の利点を有しながら、パレット１は、ステー４ａ、４ｂによって、支柱３ａ、３ｂ、３ｃ、３ｄの強度が高められ、それによって、荷物載置部６に荷物９を載置した状態で何段にも積み重ねることができ、運搬、保管などの効率が高い。そして、荷物載置部６に荷物９が載置されていないときには、支柱３ａ、３ｂ、３ｃ、３ｄを収納しておくことで、スペースをとらずに何段にも積み重ねることができ、リユースに適している。
【００３３】
図６は、本発明の第２の実施形態に係るパレット１の概略の構成を示した斜視図である。なお、第１の実施形態に係るパレット１と共通する部分は同じ符号を付し、説明を省略する。図６においては、パレット本体２の四隅に、支柱３０ａ、３０ｂ、３０ｃ、３０ｄが備えられている。各支柱３０ａ、３０ｂ、３０ｃ、３０ｄは、上下方向略中央に設けられた第２の折曲部３１ａ、３１ｂ、３１ｃ、３１ｄによって折り畳み可能とされている。
【００３４】
荷物９が載置されているときには、図６に示すように、支柱３０ａ、３０ｂ、３０ｃ、３０ｄを起立させて、運搬、保管などを行う。このとき、ステー４ａ、４ｂが備えられているので支柱３０ａ、３０ｂ、３０ｃ、３０ｄの強度が高く、荷物載置部６に荷物９を載置した状態で何段にも積み重ねることができ、運搬、保管などの効率が高い。
【００３５】
図７は、本実施形態における荷物９の載置法を示した説明図である。図７に示すように、支柱３０ａ、３０ｂ、３０ｃ、３０ｄが第２の折曲部３１ａ、３１ｂ、３１ｃ、３１ｄによって折り畳まれて収納された状態で、荷物９がパレット本体２に載置される。したがって、支柱３０ａ、３０ｂ、３０ｃ、３０ｄやステー４ａ、４ｂが邪魔にならずに、荷物９をパレット本体２に載置することができる。荷物９をパレット１から取り出すときも同様である。
【００３６】
また、パレット本体２に荷物９が載置されていないときにも、図７に示すように、支柱３０ａ、３０ｂ、３０ｃ、３０ｄを折り畳んで収納することで、スペースをとらずに何段にも積み重ねることができるので、リユースに適している。
【００３７】
図８は、本実施形態における、支柱３０ｃ、３０ｄの折り畳み構造を示す側面図である。支柱３０ｃ、３０ｄは図８（ａ）に示す、折り畳まれて収納された状態から、第１の折曲部５ｃ、５ｄと第２の折曲部３１ｃ、３１ｄによって、図８（ｂ）、（ｃ）に示すように起立させられる。このとき、ステー４ａ、４ｂによってつながっている支柱３０ａ、３０ｂも同時に、第１の折曲部５ａ、５ｂと第２の折曲部３１ａ、３１ｂによって起立させられることとなる。
【００３８】
図８に示すように、本実施形態においては、荷物９がパレット本体２に載置された状態で、ステー４ａ、４ｂが邪魔にならずに支柱３０ａ、３０ｂ、３０ｃ、３０ｄを起立させることができる。
【００３９】
以上に示す通り、本実施形態においては、荷物９の載置、載置された荷物９の取り出しをステー４ａ、４ｂが邪魔にならず、容易に行うことができる。そして、パレット本体２に荷物９が載置されていないときには、支柱３０ａ、３０ｂ、３０ｃ、３０ｄを折り畳んで収納しておくことで、スペースをとらずに何段にも積み重ねることができるので、リユースに適している。また、上記の利点を有しながら、パレット１は、ステー４ａ、４ｂによって、支柱３０ａ、３０ｂ、３０ｃ、３０ｄの強度が高められ、それによって、パレット本体２に荷物９を載置した状態で何段にも積み重ねることができ、運搬、保管などの効率が高い。
【００４０】
また、本実施形態においては、パレット本体２の上面に、第１の実施形態と同様の、大半の部分がパレット本体外側までスライド可能となる荷物載置部６を設けてもよい。このようにすると、支柱３０ａ、３０ｂ、３０ｃ、３０ｄを折り畳んで収納した状態のみならず、支柱３０ａ、３０ｂ、３０ｃ、３０ｄを起立させた状態においても、支柱３０ａ、３０ｂ、３０ｃ、３０ｄやステー４ａ、４ｂが邪魔にならずに、荷物９をパレット本体２に載置すること、パレット１から荷物９を取り出すことができる。
【００４１】
なお、上記のように本発明の実施形態を示したが、この他、発明の趣旨を逸脱しない範囲で、種々の変更が可能である。
【産業上の利用可能性】
【００４２】
本発明は、荷物を載置して運搬、保管などを行うパレットとして有効である。
【図面の簡単な説明】
【００４３】
【図１】本発明の第１の実施形態に係るパレット１の概略の構成を示した斜視図である。
【図２】本発明の第１の実施形態に係る荷物載置部６を引き出した状態のパレット１の概略の構成を示す斜視図である。
【図３】本発明の第１の実施形態に係る支柱３ｃ、３ｄの収納構造を示す側面図である。
【図４】本発明の第１の実施形態に係るパレット本体２の上面の詳細を示す平面図である。
【図５】本発明の第１の実施形態に係る荷物載置部６を表裏反転させた様子を示す説明図である。
【図６】本発明の第２の実施形態に係るパレット１の概略の構成を示した斜視図である。
【図７】本発明の第２の実施形態に係る荷物９の載置法を示した説明図である。
【図８】本発明の第２の実施形態に係る支柱３０ｃ、３０ｄの折り畳み構造を示す側面図である。
【符号の説明】
【００４４】
１    パレット
２    パレット本体
３ａ、３ｂ、３ｃ、３ｄ    支柱
４ａ、４ｂ    ステー
６    荷物載置部
３０ａ、３０ｂ、３０ｃ、３０ｄ    支柱
【図１】
2007106447.tif 000003
【図２】
2007106447.tif 000004
【図３】
2007106447.tif 000005
【図４】
2007106447.tif 000006
【図５】
2007106447.tif 000007
【図６】
2007106447.tif 000008
【図７】
2007106447.tif 000009
【図８】
2007106447.tif 000010